(57)【要約】【課題】  撮像装置において、種々の条件において、良好な撮影画像が得られるようにする。【解決手段】  バッテリ電圧が所定電圧以上か否か、ストロボ電圧が所定値未満か否か、水中プロテクタが装着されているか否か等を判断し、その判断結果に基づいて画素加算フラグを設定する。そして、画素加算フラグが設定されているか否かを判別し（図９，Ｓ６１）、画素加算フラグがセットされているときには、画素加算撮影用のＣＣＤ駆動パターンを設定する（Ｓ６２）。これにより、例えば、ストロボ発光ができず、露光が不十分な場合でも適正な明るさの撮影画像を得ることができる。【選択図】      図９
2006054525.tif 000002
【特許請求の範囲】
【請求項１】
撮像手段と、
被写体を照射する発光手段と、
撮像装置の状態を判断する撮像装置状態判断手段と、
前記撮像装置状態判断手段の判断結果に基づいて前記発光手段の発光動作を行うか否か及び前記撮像手段の画素の加算を行うか否かを決定する画素加算動作決定手段とを備える撮像装置。
【請求項２】
前記画素加算決定手段の決定結果に基づいて前記撮像手段の駆動条件を設定する駆動条件設定手段を有する請求項１記載の撮像装置。
【請求項３】
前記撮影状態判断手段により撮像装置の電源の状態が所定の状態に達していないと判断されたとき、前記画素加算決定手段は、画素の加算を行うことを決定する請求項１または２記載の撮像装置。
【請求項４】
前記撮影状態判断手段は、撮像装置に周辺機器が装着されたか否かを検出する周辺機器装着検出手段を有し、
前記周辺機器装着検出手段により撮像装置に周辺機器が装着されていることが検出された場合に、前記画素加算決定手段が画素の加算を行うことを決定する請求項１、２または３記載の撮像装置。
【請求項５】
前記周辺機器装着検出手段は、水中撮影用プロテクタが装着されているか否かを検出する請求項４記載の撮像装置。
【請求項６】
前記周辺機器装着検出手段は、焦点距離変更用アダプタが装着されているか否かを検出する請求項４載の撮像装置。
【請求項７】
前記撮像装置状態判断手段がストロボを発光させるためのストロボ充電電圧が所定電圧未満と判断した場合に、前記画素加算決定手段は、画素の加算を行うことを決定する請求項１記載の撮像装置。
【発明の詳細な説明】
【技術分野】
【０００１】
本発明は、カメラ等の撮像装置に関する。
【背景技術】
【０００２】
従来、撮像素子としてＣＣＤイメージセンサ等を用いるデジタルカメラでは、屋外から屋内へ撮影する被写体を変更したときなどのように被写体の明るさが低下した場合には、ＣＣＤイメージセンサから得られる画像信号を増幅する増幅器の増幅率を変化させて所望の明るさの撮影画像を得るようにしていた。
【０００３】
しかしながら、被写体の明るさが不足している場合に画像信号の増幅率を大きくするとノイズも増幅され、撮影画像の画像品質が低下するという問題点があった。
このような問題点を解決するために、例えば、特許文献１には、画像信号の信号レベルに応じた画素数の信号電荷をＣＣＤセンサから加算して出力することが記載されている。
【特許文献１】特開平１０−１５０６０１
【発明の開示】
【発明が解決しようとする課題】
【０００４】
特許文献１に記載された発明は、撮像素子から出力される画像信号の信号レベルに応じて画素の信号電荷を加算しているが、それだけでは十分な品質の画像が得られない場合も多い。上記の発明では、例えば、バッテリ電圧が低下した状態でストロボ撮影を行った場合、バッテリ電圧がより低下し、デジタルカメラのバッテリ寿命が短くなるという問題が発生する。
【０００５】
本発明の課題は、種々な条件において良好な撮影画像が得られるようにすることである。
【課題を解決するための手段】
【０００６】
本発明の撮像装置は、撮像手段と、被写体を照射する発光手段と、撮像装置の状態を判断する撮像装置状態判断手段と、前記撮像装置状態判断手段の判断結果に基づいて前記発光手段の発光動作を行うか否か及び前記撮像手段の画素の加算を行うか否かを決定する画素加算動作決定手段とを備える。
【０００７】
本発明の撮像装置の他の態様は、前記画素加算決定手段の決定結果に基づいて前記撮像手段の駆動条件を設定する駆動条件設定手段を有する。
本発明の撮像装置の他の態様は、前記撮影状態判断手段により撮像装置の電源の状態が所定の状態に達していないと判断されたとき、前記画素加算決定手段は前記撮影手段の画素の加算を行う。
【０００８】
本発明の撮像装置の他の態様は、前記画素加算決定手段の決定結果に基づいて前記撮像手段の駆動条件を設定する駆動条件設定手段を有する。
本発明の撮像装置の他の態様は、前記撮影状態判断手段は、撮像装置に周辺機器が装着されたか否かを検出する周辺機器装着検出手段を有し、前記周辺機器装着検出手段により撮像装置に周辺機器が装着されていることが検出された場合に、前記画素加算決定手段は、前記撮影手段により得られる画素の加算を行う。
【０００９】
本発明の撮像装置の他の態様は、前記周辺機器装着検出手段は、水中撮影要ボディプロテクタが装着されているか否かを検出する。
本発明の撮像装置の他の態様は、前記周辺機器装着検出手段は、焦点距離変更用アダプタレンズが装着されているか否かを検出する。
【００１０】
本発明の撮像装置の他の態様は、前記撮像装置状態判断手段は、ストロボを発光させるためのストロボ充電電圧を検出し、前記撮像装置状態判断手段によりストロボ充電電圧が所定電圧未満と判断された場合には、前記画素加算決定手段が撮像手段により得られる画素の加算を行う。
【発明の効果】
【００１１】
本発明によれば、撮像装置の状態に応じて発光手段の発光と画素の加算を行うか否かを決定しているので、種々の条件において良好な撮影画像を得ることができる。例えば、バッテリの残量が少ない場合、発光動作を行わずに画素の加算を行うことでバッテリの消耗を減らし、かつ良好な撮影画像を得ることができる。
【発明を実施するための最良の形態】
【００１２】
以下、本発明の実施の形態を図面を参照しながら説明する。図１は、本発明の基本構成の一例を示す図である。
図１において、撮像装置状態判断手段１は、撮像装置（デジタルカメラ等）のバッテリの電圧が所定値以上か否か、ストロボ充電電圧が所定値以上か否か、周辺機器の装着の有無等を判断する。
【００１３】
画素加算動作決定手段２は、撮像装置状態判断手段１の判断結果に基づいて画素の加算を行うか否か、ストロボ発光を行うか否か等を決定する。
撮像手段３は、例えば、ＣＣＤセンサ等からなり、各撮像素子に蓄積された電荷を画像信号に変換する。
【００１４】
次に、図２は、実施の形態の撮像装置（デジタルカメラ）１０のブロック図であり、図３（Ａ）、（Ｂ）はその外観斜視図である。
図２において、カメラ制御部１１は、撮像装置状態判断手段１と画素加算動作決定手段２とからなる。
【００１５】
レリーズスイッチ１２は、図３に示すように本体の上部に設けられており、ユーザの操作に応じてスイッチが一段階押し込まれた状態（ファーストレリーズ）、またはその状態からさらに押し込まれた状態（セカンドレリーズ）を示す信号等をカメラ制御部１１に出力する。
【００１６】
ストロボ設定部１３は、ストロボの発光条件等を設定するものであり、図３（Ｂ）に示すカメラ１０裏面側の操作スイッチ３１により設定する。
ステレオ充電電圧判断部１４は、ストロボ発光回路部１５の充電電圧が所定電圧未満か否かを判断し、判断結果を撮像装置状態判断手段１に出力する。ストロボ発光回路部１５は、ストロブ発光部１６に発光のための電力を供給する。
【００１７】
バッテリチェック部１７は、バッテリ１８の電圧が所定値未満か否かを判断し、判断結果を撮像装置状態判断手段１に出力する。
周辺機器装着検出部１９は、図３に示す撮影レンズ３２の側面に設けらており、撮影レンズ３２に防水プロテクタや焦点距離変更用アダプタレンズが装着されているか否かを検出し、検出結果を撮像装置状態判断手段１に出力する。この周辺機器装着検出部１９は、例えば、スイッチなどで構成され、周辺機器が装着されたときにオン状態またはオフ状態となり、その時の状態を示す信号を出力する。
【００１８】
ストロボ充電状態告知部２０は、ストロボ発光回路部１５の充電が完了したか否かを示す表示部であり、図３（Ｂ）に示すように、ファインダ４１の右側に設けられているＬＥＤの点灯色により充電状態を表示する。例えば、充電が未完了のときＬＥＤが赤色に点灯し、完了したとき緑色に点灯する。
【００１９】
バッテリ警告告知部２１は、バッテリ１８の電圧の低下を警告する表示であり、図３（Ｂ）の撮像装置１０の裏面側の液晶表示部３６に充電状態が電池の形状として表示される。
【００２０】
タイミングジェネレータ（ＴＧ）ドライバ５は、カメラ制御部１１の制御の基に撮像手段（ＣＣＤ）３を駆動するタイミング信号をＡＦＥ処理部３３に供給すると共に、メカシャッタコントローラ３７に駆動用のタイミング信号を供給する。
【００２１】
ＡＦＥ処理部３３は、ＣＣＤセンサ３を駆動させる制御を行なうと共に、ＣＣＤセンサ３から出力される信号のノイズを低減させるＣＤＳ（Correlated Double Sampling）や、信号レベルを安定化させるＡＧＣ（Automatic Gain Control）などの処理を施した後、アナログ信号をデジタルデータに変換するＡＤＣ（Analog to Digital converter）処理を行い、変換したデジタルデータを撮影画像データとして出力する。
【００２２】
カメラＤＳＰ３４は、ＳＤＲＡＭ３５に格納されている撮影画像データを再生表示するとき、あるいは撮影画像データをＳＤＲＡＭ３５等に記録するときに、明暗・彩度・色合いなどを補正する、γ補正、色処理、ＷＢ（ホワイトバランス）補正処理等を撮影画像データに対して行う。
【００２３】
液晶表示部（ＬＣＤ）３６は、撮像装置１０の裏面側に設けられており、撮影レンズ３２で現在撮影されている画像、メモリ等に記録してある画像、メニュー等を表示する。
図３（Ａ）、（Ｂ）は、撮像装置１０の外観斜視図である。図３（Ａ）に示すように、撮像装置１０の表側の中央には撮影レンズ３２が設けられ、右上部にはストロボ発光部１６とファインダ４１が設けられている。
【００２４】
撮像装置１０の上部側面にはレリーズスイッチ１２が設けられ、正面から見て左側の側面にはメモリカード挿入口４２が設けられている。
図３（Ｂ）に示すように、撮像装置１０の裏面上側には、ファインダ４１と、ストロボ充電状態告知部２０と、オートフォーカスのインジケータ４３と、ズームスイッチ４４とが設けられ、本体中央には液晶表示部３６が設けられ、その右横に動作モードの設定等を行う操作スイッチ３１が設けられている。
【００２５】
次に、以上のような構成の撮像装置１０の動作を、図５〜図７及び図９のフローチャートを参照して説明する。以下の処理は、撮像装置１０の図示しないＣＰＵにより実行される。
【００２６】
撮像装置１０の電源がオンされると、最初にイニシャライズ処理を実行し（図４，Ｓ１）、次に、パワースイッチがオンか否かを判別する（Ｓ２）。
パワースイッチがオンのときには（Ｓ２，ＹＥＳ）、ステップＳ３に進み、ファーストレリーズ前カメラ設定処理を実行する。パワースイッチがオフのときには（Ｓ２，ＮＯ）、ステップＳ２のパワースイッチがオンか否かの検出を繰り返す。
【００２７】
ファーストレリーズ前カメラ設定処理が終了したなら、次に、レリーズスイッチ１２がファーストレリーズ状態か否かを判別する（Ｓ４）。
レリーズスイッチ１２がファーストレリーズ状態のとき（Ｓ４，ＹＥＳ）、すなわち、ユーザが撮影のためにレリーズスイッチ１２を一段押し込んだときには、ステップＳ５に進みＡＥ、ＡＦ処理を実行し、次のステップＳ６でフォーカスレンズを駆動する。
【００２８】
他方、レリーズスイッチ１２がファーストレリーズ状態でないとき（Ｓ４，ＮＯ）、つまりユーザがレリーズスイッチ１２を操作していないときには、ステップＳ２に戻りパワースイッチがオンか否かの判定を行う。
【００２９】
ステップＳ６の次には、レリーズスイッチ１２がセカンドレリーズ状態か否かを判別する（Ｓ７）。
レリーズスイッチ１２がセカンドレリーズ状態でないと判別された場合には（Ｓ７，ＮＯ）、ステップＳ８に進み、レリーズスイッチ１２がファーストレリーズ状態か否かを再度判別する。
【００３０】
ステップＳ８でレリーズスイッチ１２がファーストレリーズ状態と判定された場合には（Ｓ８，ＹＥＳ）、ステップＳ７のセカンドレリーズ状態か否かの判別を繰り返す。
ステップＳ８でレリーズスイッチ１２がファーストレリーズ状態ではないと判別された場合には（Ｓ８，ＮＯ）、レリーズスイッチ１２が解放された場合であるので、ステップＳ２に戻る。
【００３１】
ステップＳ７において、レリーズスイッチ１２がセカンドレリーズ状態と判別されたときには（Ｓ７，ＹＥＳ）、ステップＳ９に進み撮影処理を実行し、撮像装置１０の状態に応じて通常撮影、あるいは画素加算撮影を行う。そして、撮影画像データを画像カード（メモリカード）に書き込み（Ｓ１０）、さらに、撮影画像データを液晶表示部３６に表示する（Ｓ１１）。その後、ステップＳ２に戻る。
【００３２】
ここで、図４のステップＳ３のファーストレリーズ前カメラ設定処理を、図５〜図７のフローチャートを参照して説明する。
最初にズームスイッチ４４が操作されたか否かを判別する（図５，Ｓ２１）。ズームスイッチ４４が操作された場合には（Ｓ２１，ＹＥＳ）、ステップＳ２２に進み、ズームレンズを駆動して画像を拡大または縮小する。
【００３３】
ズームスイッチ４４が操作されていない場合（Ｓ２１，ＮＯ）、またはステップＳ２２の次には、ステップＳ２３に進み、撮影モード設定（または変更）されたか否かを判別する。
【００３４】
撮影モードが設定（または変更）されている場合には（Ｓ２３，ＹＥＳ）、ステップＳ２４に進み、設定（または変更）された撮影モードにする。
撮影モードが設定（または変更）されていない場合（Ｓ２３，ＮＯ）、またはステップＳ２４で撮影モードを設定（または変更）した場合には、ステップＳ２５でストロボ充電電圧をチェックし、次のステップＳ２６でストロボ充電電圧が所定電圧未満か否かを判別する。
【００３５】
ストロボ充電電圧が所定電圧未満のときには（Ｓ２７，ＹＥＳ）、ステップＳ２７に進み、撮影モードがストロブオフモードか否かを判別する。
撮影モードがストロボオフモードでなければ（Ｓ２７，ＮＯ）、ステップＳ２８でストロボを充電し、次のステップＳ２９でストロボ充電中フラグｆ＿ｓｔｃｈｇに「１」を設定する。さらに、ストロボ充電中状態告知部２０に充電中であることを告知する（Ｓ３０）。
【００３６】
ステップＳ２６でストロボ充電電圧が所定電圧以上のときには（Ｓ２６，ＹＥＳ）、ステップＳ３１に進み、ストロボ充電中か否かを判別する。
充電電圧が所定電圧以上で、かつストロボ充電中のとき、あるいはステップＳ２７でストロボオフモードと判断されたときには、ステップＳ３２に進み、ストロボの充電を停止する。そして、ストロボ充電中フラグｆ＿ｓｔｃｈｇをクリアする。さらに、ストロボ充電状態告知部２０の充電中の告知をオフにする。その後、図６のＡに進みステップＳ３５の処理を実行する。
【００３７】
図６のステップＳ３５では、周辺機器装着検出部１９により周辺器機器の装着が検出されたか否かを判別する（図６，Ｓ３５）。
撮像装置１０に周辺機器が装着されていることが検出された場合には（Ｓ３５，ＹＥＳ）、ステップＳ３６に進み、装着されているのが、水中プロテクタか、テレコンバータ（焦点距離変更用アダプタ）かを判別する。
【００３８】
装着されている周辺機器が水中プロテクタか、テレコンバータかの判別は、例えば、周辺機器装着検出部の検出スイッチの構造を周辺機器毎に異なる構造にしてそれにより判別しても良いし、同一の検出機構で周辺機器によりスイッチ等の押圧力が異なり、それにより検出電圧が異なるような構造にしても良い。
【００３９】
水中プロテクタまたはテレコンバータが撮像装置１０に装着されている場合には（Ｓ３６，ＹＥＳ）、ステップＳ３７に進み、水中プロテクタ装着フラグｆ＿ｗｔｐｒｔまたはテレコンバータ装着フラグｆ＿ｔｅｌｅｃｏｎに「１」を設定する。その後、図７のＢのステップＳ３９に進む。
【００４０】
ステップＳ３５において周辺機器が装着されていないと判別された場合（Ｓ３５，ＮＯ）またはステップＳ３６で水中プロテクタ及びテレコンバータが装着されていないと判別された場合には（Ｓ３６，ＮＯ）、ステップＳ３８に進み、水中プロテクタ装着フラグｆ＿ｗｔｐｒｔ及びテレコンバータ装着フラグｆ＿ｔｅｌｅｃｏｎをクリアする。その後、図７のＢのステップＳ３９の処理に進む。
【００４１】
図７のステップＳ３９では、バッテリ電圧をチェックする。そして、次のステップＳ４０でバッテリ電圧が所定電圧以上か否かを判別する。
バッテリ電圧が所定電圧未満のときには（Ｓ４０，ＮＯ）、ステップＳ４１に進み、バッテリ警告フラグｆ＿ｂｔｗｎに「１」を設定し、ステップＳ４２でバッテリ警告告知をオンにする（Ｓ４２）。
【００４２】
上記の処理により、例えば、液晶表示部３６のバッテリ１８の充電状態を示す電池マークの一部の表示が変化してバッテリ電圧が低下したことを警告する。
ステップＳ４０でバッテリ電圧が所定電圧以上あると判別された場合には（Ｓ４０，ＹＥＳ）、ステップＳ４３に進み、バッテリ警告フラグｆ＿ｂｔｗｎをクリアし、ステップＳ４４でバッテリ警告報知をオフにする。
【００４３】
次に、ステップＳ４５で画素加算フラグｆ＿ｐｉｘａｄｄをクリアする。そして、次のステップＳ４６でストロボ充電中フラグｆ＿ｓｔｃｈｇが「１」か否かを判別する。
ステップＳ４６でストロボ充電中フラグｆ＿ｓｔｃｈｇが「０」と判別されたときには（Ｓ４６，ＮＯ）、次のステップＳ４７に進み、水中プロテクタ装着フラグｆ＿ｗｔｐｒｔが「１」か否かを判別する。
【００４４】
ステップＳ４７で水中プロテクタ装着フラグｆ＿ｗｔｐｒｔが「０」と判別されたときには（Ｓ４７，ＮＯ）、次のステップＳ４８に進み、テレコンバータ装着フラグｆ＿ｔｅｌｅｃｏｎが「１」か否かを判別する。
【００４５】
ステップＳ４８でテレコンバータ装着フラグｆ＿ｔｅｌｅｃｏｎが「０」と判別されたときには（Ｓ４８，ＮＯ）、ステップＳ４９に進み、バッテリ警告フラグｆ＿ｂｔｗｎが「１」か否かを判別する。
【００４６】
上記のステップＳ４６〜Ｓ４９の判別処理で、ストロボ充電中フラグｆ＿ｓｔｃｈｇ、水中プロテクタ装着フラグｆ＿ｗｔｐｒｔ、テレコンバータ装着フラグｆ＿ｔｅｌｅｃｏｎ、バッテリ警告フラグｆ＿ｂｔｗｎの何れかが「１」と判別された場合には（Ｓ４６〜ＳＳ４９の何れかがＹＥＳ）、ステップＳ５０に進み、画素加算フラグｆ＿ｐｉｘａｄｄに「１」を設定する。
【００４７】
上記のステップＳ５０の処理により、ストロボ電圧が所定電圧未満のとき、撮像装置１０に水中プロテクタが装着されているとき、テレコンバータが装着されているとき、あるいはバッテリ電圧が所定電圧未満のときには、画素加算フラグｆ＿ｐｉｘａｄｄがセットされる。画素加算フラグｆ＿ｐｉｘａｄｄがセットされると、後述する図９の撮影処理でＣＣＤセンサ３の画素加算が行われる。
【００４８】
ここで、ＣＣＤセンサ３の画素加算について図８を参照して説明する。図８（Ａ）、（Ｂ）は、ベイヤ配列のＣＣＤセンサ３における画素加算の説明図である。ベイヤ配列のＣＣＤセンサ３では、千鳥格子状にＧ画素が配置され、その間にＲ画素、Ｂ画素が配置されている。
【００４９】
図８（Ａ）の４画素加算の場合には、例えば、対象画素がＢ画素の場合は、対象画素の左右の近接するＢ画素と上下の近接するＢ画素の４画素の電荷を対象画素の電荷に加算した値が、対象画素の画素値としてＣＣＤセンサ３から出力される。
【００５０】
また、図８（Ｂ）の９画素加算の場合には、例えば、対象画素がＲ画素の場合には、対象画素の左右の近接するＲ画素と、上下の近接するＲ画素と、斜め左右方向の近接するＲ画素の９画素を対象画素に加算した値が、対象画素の画素値として出力される。
【００５１】
次に、図４のステップＳ９の撮影処理の内容を、図９のフローチャートを参照して詳しく説明する。
最初に画素加算フラグｆ＿ｐｉｘａｄｄが「１」か否かを判別する（図９，Ｓ６１）。
【００５２】
画素加算フラグｆ＿ｐｉｘａｄｄが「１」のときには（Ｓ６１，ＹＥＳ）、ステップＳ６２に進み、画素加算撮影用のＣＣＤ駆動パターンを設定する。さらに、画素加算に対応するシャッタスピード（Ｔｖ：タイムバリュー）と絞り値（Ａｖ：アパーチャバリュー）を再演算する（Ｓ６３）。
【００５３】
他方、ステップＳ６１で画素加算フラグｆ＿ｐｉｘａｄｄが「０」と判別されたときには（Ｓ６１，ＮＯ）、ステップＳ６４に進み、画素加算を行わない通常撮影用のＣＣＤ駆動パターンを設定する。
【００５４】
ＣＣＤ駆動パターンが決定したなら、ステップＳ６５でＣＣＤセンサ３で撮影を開始する。
次に、ストロボ発光を行うか否か判断する（Ｓ６６）。この処理では、測定した被写体画像の明るさ、動作モード、バッテリ電圧等に応じてストロボ発光を行うか否かを判断する。
【００５５】
バッテリ電圧及びストロボ電圧が所定電圧以上で、ストロボ発光が必要な場合には（Ｓ６６，ＹＥＳ）、ステップＳ６７に進み、ストロボ発光部１６に駆動電圧を供給して発光させる。
【００５６】
なお、ストロボ発光が必要なモードに設定されている場合でも、バッテリ電圧が所定値未満、あるいはストロボ電圧が未充電で、画素加算フラグｆ＿ｐｉｘａｄｄがセットされているときには、ストロボ発光は行わない。
【００５７】
次に、所定の露光時間が経過したか否かを判別する（Ｓ６８）。所定の露光時間を経過していないときには（Ｓ６８，ＮＯ）、ステップＳ６８の露光時間の判別処理を継続する。
【００５８】
所定の露光時間を経過したときには（Ｓ６８，ＹＥＳ）、ステップＳ６９に進み、メカシャッターを閉じＣＣＤセンサ３による撮影を終了する。そして、ＣＣＤセンサ３の第１フィールドから第３フィールドの画素情報を順に読み出す（Ｓ７０）。
【００５９】
ステップＳ７０の処理では、通常撮影においては、各画素の電荷に対応する画素情報を読み出し、画素加算撮影においては、複数画素の電荷を加算した値、例えば、９画素画素加算した値を画素情報として読み出す。
【００６０】
通常撮影画像または画素加算撮影画像に対してホワイトバランス調整、エッジ処理等の画像処理を行い、処理後の画像データをＳＤＲＡＭ３５等に格納する（Ｓ７１）。さらに、通常撮影画像または画素加算撮影画像を液晶表示部３６に表示する（Ｓ７２）。
【００６１】
上述した実施の形態によれば、撮像装置１０の状態に応じて画素加算を行うことで、例えば、バッテリ１８の残量が少ないときには、ストロボ発光が必要な撮影条件であっても、ストロボ発光は行わず、画素加算を行うことで所定以上の明るさの良好な撮影画像を得ることができる。さらに、バッテリ１８の残量が少ないときに、ストロボ発光を行わずに撮影することで、バッテリ１８の寿命を延ばし、ストロボを使用して撮影する場合に比べて撮影可能時間を長くすることができる。
【００６２】
また、ストロボが未充電の場合にも、画素加算を行うことで露光が不足した状態でも良好な撮影画像を得ることができ、撮影タイミングを逃すことがなくなる。
さらに、防水プロテクタを撮像装置１０に装着していてストロボが使用できないときや、焦点距離変更アダプタを装着して遠距離の撮影をするために被写体の輝度が不足する可能性がある場合も、画素加算を行うことで適正な輝度の撮影画像を得ることができる。
【００６３】
本発明は上述した実施の形態に限らず、例えば、以下のように構成しても良い。
（１）実施の形態は、ＣＣＤセンサ３の転送路内で複数画素の電荷を加算する場合について説明したが、ＣＣＤセンサ３の出力をデジタルデータに変換し、そのデジタルデータを加算して画素加算を行うようにしても良い。
（２）ＣＣＤセンサ３はベイヤ配列のフィルタを用いるものに限らず、他のＣＣＤセンサでも良し、ＣＣＤ以外の撮像素子を用いても良い。
（３）本発明は、実施の形態のように第１〜第３フィールドの画素を順次読み出す方法に限らず、偶数フィールドと奇数フィールドの画素を読み出す場合など他の読み出し方法にも適用できる。
（４）本発明は静止画を撮影する場合に限らず、動画を撮影する場合にも適用できる。
【図面の簡単な説明】
【００６４】
【図１】発明の基本構成の一例の説明図である。
【図２】実施の形態の撮像装置の回路ブロック図である。
【図３】撮像装置の外観図である。
【図４】撮像装置の全体の動作を示すフローチャートである。
【図５】ファーストリリース前のカメラ設定処理のフローチャートである。
【図６】ファーストリリース前のカメラ設定処理のフローチャートである。
【図７】ファーストリリース前のカメラ設定処理のフローチャートである。
【図８】画素加算の説明図である。
【図９】撮影処理のフローチャートである。
【符号の説明】
【００６５】
１          撮像装置状態判断手段
２          画素加算動作決定手段
３          撮像手段
５          タイミングジェネレータドライバ
１０        撮像装置
１１        撮影制御部
１４        ストロボ充電電圧判断部
１６        ストロボ発光部
１７        バッテリチェック部
１８        バッテリ
１９        周辺機器装着検出部
３６        液晶表示部
【図１】
2006054525.tif 000003
【図２】
2006054525.tif 000004
【図３】
2006054525.tif 000005
【図４】
2006054525.tif 000006
【図５】
2006054525.tif 000007
【図６】
2006054525.tif 000008
【図７】
2006054525.tif 000009
【図８】
2006054525.tif 000010
【図９】
2006054525.tif 000011